(57)【特許請求の範囲】
【請求項１】
原点から互いに所定角度で放射状に伸びる少なくとも３本の直線に接地抵抗を表す目盛りをそれぞれ設け、当該目盛りは、前記３本の直線のすべてと交差する任意の交差直線Ｘを引いた場合に、当該交差直線Ｘと前記３本の直線Ａ，Ｂ，Ｃとの交点を順にａ，ｂ，ｃとすると、当該交差直線Ｘと中央の直線Ｂとの交点ｂの値が、両側の直線Ａ，Ｃと交差直線Ｘとの各交点ａ，ｂの値をそれぞれ接地抵抗とする二つの接地極を並列に設けた時のトータルの接地抵抗値を表すように構成したことを特徴とする接地抵抗計算図表。
【請求項２】
原点から互いに所定角度で放射状に伸びる少なくとも３本の直線と交差する複数の同心円弧が表示され、該直線と円弧の交点には接地抵抗を表す数値が付記されている請求項１に記載の接地抵抗計算図表。
【発明の詳細な説明】
【０００１】
【発明の属する技術分野】
本発明は、鉄塔、電柱等の接地工事で複数の接地極を地中に埋設する場合、複数の接地極の合成された電気抵抗値を迅速に求めるための計算図表に関するものである。
【０００２】
【従来の技術】
変圧器、避雷器、高圧機器等を取り付けた電柱には、漏電による事故を防ぐため、接地工事が法律で義務付けられている。この接地工事で地中に埋設される接地極の電気抵抗値は、取り付けられる機器の電気容量に応じた規定値以下となるように決められている。
【０００３】
一般的に、接地工事に際しては、各社の規格に基づいた仕様の接地極や、経験的に適当であろうと推定される接地極を埋設しているが、接地場所等によっては、規定値以下の接地抵抗とならない場合がある。このような場合には、先に埋設した接地極の他に新たな接地極を埋設し、両者を並列に接続することにより接地抵抗を減少させている。さらに、このように二つの接地極を設けても接地抵抗が規定値以下とならない場合は、規定値以下となるまで、さらに別の接地極を埋設し、並列に接続する方法が採用されている。
【０００４】
【発明が解決しようとする課題】
ところで、接地抵抗値を規定値まで低減するため新たな接地極を後で埋め込む場合、極端に接地面積の大きな接地極を埋設するのは不経済であるから、目標とする値が得られるようなもので、必要以上に大きくない経済的な接地極を選定する必要がある。この場合、先に埋設されている接地極の接地抵抗を考慮して、どの程度の接地抵抗を有する接地極を並列に接続すれば規定の接地抵抗値が得られるかを推測し、新たに埋設する接地極を選定している。しかしながら、同じサイズの接地極を使用しても、地質、埋設深さ、電柱からの距離等によって埋設された接地極の電気抵抗値が異なる値を示すのが普通で、複数の接地極を並列に接続してもオームの法則通りとならないのが現実であり、追加する新たな接地極としてどの程度の接地抵抗値を有するものが適当であるか判断するのがむつかしかった。このため、熟練者であっても接地極の選定を誤ることがあり、工事の遅れを招く原因となっていた。
【０００５】
そこで本発明は、複数の接地極を並列に埋め込む場合に、それら複数の接地極の合成された電気抵抗値を誰でも容易に求められるようにすることを課題としている。
【０００６】
【課題を解決するための手段】
上記課題を解決するため、本願出願人は次のような接地極の電気抵抗値を求めるための図表を提案する。すなわち、本発明にかかる接地抵抗計算図表は、原点から互いに所定角度で放射状に伸びる少なくとも３本の直線に接地抵抗を表す目盛りをそれぞれ設け、当該目盛りは、前記３本の直線のすべてと交差する任意の交差直線Ｘを引いた場合に、当該交差直線Ｘと前記３本の直線Ａ，Ｂ，Ｃとの交点を順にａ，ｂ，ｃとすると、当該交差直線Ｘと中央の直線Ｂとの交点ｂの値が、両側の直線Ａ，Ｃと交差直線Ｘとの各交点ａ，ｂの値をそれぞれ接地抵抗とする二つの接地極を並列に設けた時のトータルの接地抵抗値を表すように構成したことを特徴としている。
【０００７】
地中に並列に埋め込まれる二つの接地極の単独の接地抵抗値をそれぞれａ，ｃとすると、両者を並列に接続した場合の合成された接地抵抗値ｂは、１本の直線を挟んで両側に位置する２本の直線上にａ，ｃをとり、これらａ，ｃを結ぶ線（交差直線）が中央の直線と交差する点の目盛りｂで表される。したがって、ひとつの接地極の接地抵抗値ａが規定値ｂをクリヤしない場合、すなわちａ＞ｂの場合は、隣り合う２本の直線Ａ，Ｂ上にそれぞれａ点とｂ点を取り、これらａ，ｂを結ぶ直線Ｘを引いて、当該直線がＢと隣り合う他の直線Ｃと交わる点の目盛りｃを求め、このｃの値を接地抵抗とするもう一つの接地極を設けて、並列に接続すればよい。この場合、複数の直線の角度、目盛り等は、実際の経験に基づいて設定しておけばよい。
【０００８】
【発明の実施の形態】
以下、本発明の具体例とその使用方法について説明する。
この接地極の電気抵抗値を求めるための接地抵抗計算図表（以下、「図表」と略す）は、図１に示すように、原点Ｏから放射状に延ばされた互いに等角度α（図示例では５０度）をなす４本の直線ＯＡ，ＯＢ，ＯＣ，ＯＤと、原点Ｏを中心とする等間隔の複数本の円弧成分Ｑ，…からなる。最外側の直線ＯＡ，ＯＤには、電気抵抗値を表す数字Ｎ，…（単位オーム）が付記されており、前記円弧成分Ｑはこれら数字を表す目盛りとなっている。上記直線の相互角度は、経験により約５０度（５０度±５度）とするのが適当であることがわかっている。
【０００９】
直線成分は最低数３本あればよいが、後に説明する使用方法から明らかなように、４本としておくのが実用上便利である。また、円弧成分は必ずしも連続している必要はなく、直線成分との交差点を示すものであればよい。図３に示すように、直線上に記した目盛りＧ，…だけでもよい。
【００１０】
この図表をもちいて、例えば、接地抵抗が８５オームと８０オームの二つの接地極を並列に接続した場合の合成された電気抵抗値を求める場合は、１本の直線（ＯＢ）を挟んで両側に位置する２本の直線（ＯＡとＯＣ）を選択し、一方の直線ＯＡにおける８５オームの点ａ1 と他方の直線ＯＣにおける８０オームの点ｃ1 とを直線Ｘで結ぶ。すると、その直線Ｘと上記２本の直線の間に介在する直線ＯＢとが交わる点ｂ1 の値（５３オーム）が二つの接地極の合成された電気抵抗値となる。
【００１１】
また、上記二つの接地極と並列に９０オームの接地極を埋設する場合は、前記点ｂ1 と直線成分ＯＤにおける９０オームの点ｄ1 とを直線で結ぶ。その直線と直線ＯＣとが交わる点ｃ2 の値（４２オーム）が三つの接地極を並列に接続した場合の合成された電気抵抗値となる。
【００１２】
さらに、上記三つの接地極と並列に９０オームの接地極を埋設する場合は、前記点ｃ2 と直線ＯＡにおける９０オームの点ａ2 とを直線で結ぶ。その直線と直線ＯＢとが交わる点ｂ2 の値（３７オーム）が四つの接地極の合成された電気抵抗値となる。
【００１３】
同様の操作を繰り返すことにより、並列に埋め込まれる５つ以上の接地極の合成された電気抵抗値も求めることができる。接地工事の規定値を６０オームとするならば８５オームと８０オームの接地極を埋設して並列に接続すればよく、規定値を５０オームとするならば８５オームと８０オームと９０オームの接地極を埋設すればよく、規定値を４０オームとするならば８５オームと８０オームの接地極を１個づつと９０オームの接地極を２個埋設すればよい訳である。
【００１４】
この図表を用いて並列に埋設される２個或は２組の接地極の合成された電気抵抗値を求める方法は、経験則から導き出されたものであるが、ほとんどの場合に、実際に接地極を埋設して測定した電気抵抗値に極めて近い値が得られるのである。なお、図示例の図表では、２個或は２組の接地極において、一方の接地極の単独の電気抵抗値が他方の接地極の単独の電気抵抗値の２倍を超えないということを前提としている。
【００１５】
【実施例】
本発明の図表を用いて接地極を選定した接地工事の実施例を表１に示す。なお、表１において、「距離」は電柱から接地極までの距離、「深さ」は接地極の埋設深さ、「単独」は単独での接地極の電気抵抗値、「合成」は実測による接地極の合成された電気抵抗値、「図表」は図表から求められる接地極の合成された電気抵抗値を表している。
【００１６】
【表１】
0003855085.tif 000002
【００１７】
【発明の効果】
以上に説明したように、本発明にかかる接地抵抗計算図表は、これを用いることにより、電柱等の接地工事において複数の接地極を並列に地中に埋設する場合に、その接地極の合成された電気抵抗値を誰でも容易かつ迅速に推測できるようになり、工事の能率が向上するようになった。
【図面の簡単な説明】
【図１】接地極の電気抵抗値を求めるための図表の１例である。
【図２】計算方法の説明図である。
【図３】接地極の電気抵抗値を求めるための図表の異なる例である。
【符号の説明】
Ｑ    円弧成分
Ｎ    電気抵抗値を表す数字
Ｏ    原点
ＯＡ，ＯＢ，ＯＣ，ＯＤ  直線
【図１】
0003855085.tif 000003
【図２】
0003855085.tif 000004
【図３】
0003855085.tif 000005